(57)【要約】  【課題】  蓋が着脱自在でかつ容易に開くことができ、しかも使用性の面で優れているだけでなく、製造コストの低減を図ることができる蓋付き容器を提供すること。  【解決手段】  容器本体１と開閉自在な蓋２とを備えてなる蓋付き容器であって、前記容器本体１と蓋２とが別体であり、蓋２の側方に延びる連設部１１に挿通穴１２を設けるとともに、この挿通穴１２の周縁に挿通穴１２の内側に向かって突出する一対の軸部１３を設け、また、前記挿通穴１２を挿通し前記一対の軸部１３が嵌め込まれる軸受け部７を容器本体１の側方に連設し、前記軸受け部７に嵌め込まれた状態の一対の軸部１３を軸として蓋２が容器本体１に対して回動するように構成してある。  【選択図】  図１
2006151454.tif 000002
【特許請求の範囲】
【請求項１】
容器本体と開閉自在な蓋とを備えてなる蓋付き容器であって、前記容器本体と蓋とが別体であり、蓋の側方に延びる連設部に挿通穴を設けるとともに、この挿通穴の周縁に挿通穴の内側に向かって突出する一対の軸部を設け、また、前記挿通穴を挿通し前記一対の軸部が嵌め込まれる軸受け部を容器本体の側方に連設し、前記軸受け部に嵌め込まれた状態の一対の軸部を軸として蓋が容器本体に対して回動するように構成してあることを特徴とする蓋付き容器。
【請求項２】
前記軸部が、下側に凹んだ凹入部を有している請求項１に記載の蓋付き容器。
【請求項３】
蓋が適宜の角度開いたときに挿通穴の周縁と軸受け部またはその近傍とが当接し、蓋の開きを規制するように構成されている請求項１または２に記載の蓋付き容器。
【請求項４】
容器本体と開閉自在な蓋とを備えてなる蓋付き容器であって、前記容器本体と蓋とが別体であり、スリットが形成された第一フランジ部分を容器本体に設け、前記スリットに上方から挿入される第二フランジ部分を蓋に設けてあることを特徴とする蓋付き容器。
【発明の詳細な説明】
【技術分野】
【０００１】
この発明は、例えば、綿球やガーゼなどを収容するために用いられる蓋付き容器に関する。
【背景技術】
【０００２】
例えば医療現場で用いられる綿球やガーゼなどを収容する従来の容器として、底壁部およびこの底壁部の周縁から上方に向けて連設された側壁部を有する容器本体と、この容器本体にヒンジ部を介して連設された蓋とを備えたものがある。
【発明の開示】
【発明が解決しようとする課題】
【０００３】
しかし、上記従来の容器は、容器本体と蓋とを一体成形していたので、蓋が不要な場合にその蓋を容器本体から簡単に切り離すことができず、また、一度切り離した蓋は元に戻せなかった。さらに、容器本体の強度に比べて蓋の強度は小さくてよいのにもかかわらず、両者を一体成形していたので容器本体と蓋の厚みがほぼ同一であり、蓋に用いる部分の材料費が無駄になるという問題もあった。
【０００４】
また、蓋が開いた状態の従来の容器に少しの振動等が加わると、これによって蓋が閉じてしまうことがあり、使い勝手が悪いという問題もあった。
【０００５】
その上、医療現場において医師や看護師が従来の容器から綿球やガーゼなどを取り出す場合、片手で容器本体の側壁部を持ち、もう片方の手で蓋を開かなければならず、片手が塞がっていたりすると綿球やガーゼなどをすぐに取り出せないので、傷の消毒・手当てなど種々の作業の効率が低下していた。
【０００６】
この発明は上述の事柄に留意してなされたもので、その目的は、蓋が着脱自在でかつ容易に開くことができ、しかも使用性の面で優れているだけでなく、製造コストの低減を図ることができる蓋付き容器を提供することである。
【課題を解決するための手段】
【０００７】
上記目的を達成するために、第１発明の蓋付き容器は、容器本体と開閉自在な蓋とを備えてなる蓋付き容器であって、前記容器本体と蓋とが別体であり、蓋の側方に延びる連設部に挿通穴を設けるとともに、この挿通穴の周縁に挿通穴の内側に向かって突出する一対の軸部を設け、また、前記挿通穴を挿通し前記一対の軸部が嵌め込まれる軸受け部を容器本体の側方に連設し、前記軸受け部に嵌め込まれた状態の一対の軸部を軸として蓋が容器本体に対して回動するように構成してある（請求項１）。
【０００８】
ここで、前記軸部は下側に凹んだ凹入部を有しているのが望ましい（請求項２）。
【０００９】
また、蓋が適宜の角度開いたときに挿通穴の周縁と軸受け部またはその近傍とが当接し、蓋の開きを規制するように構成されているのが好ましい（請求項３）。
【００１０】
また、上記目的を達成するために、第２発明の蓋付き容器は、容器本体と開閉自在な蓋とを備えてなる蓋付き容器であって、前記容器本体と蓋とが別体であり、スリットが形成された第一フランジ部分を容器本体に設け、前記スリットに上方から挿入される第二フランジ部分を蓋に設けてあることを特徴としている（請求項４）。
【発明の効果】
【００１１】
請求項１に係る発明では、一対の軸部を軸受け部に嵌め込むだけで蓋を着脱自在に容器本体に取り付けることができ、しかも、前記軸部と軸受け部とで形成されるヒンジによって蓋を開閉自在とすることができる蓋付き容器が得られる。また、容器本体と蓋とを別体としているので、例えば、容器本体に比べてそれほど高い強度が必要とされない蓋を薄く成形することで、蓋にかかる材料費を可及的に低く抑えることができ、ひいては蓋付き容器の製造コストの低減を図ることができる。その上、真空成形または圧空成形によって成形することができるので、これによっても蓋付き容器の製造コストが安価となる。
【００１２】
また、蓋を容器本体から分離自在としているので、例えば、蓋を外して容器本体のみを用いるということもでき、それだけ種々の利用に対応可能な極めて応用性・汎用性の高い蓋付き容器となっている。
【００１３】
請求項２に係る発明では、下側に凹んだ凹入部を設けることにより、軸部の強度が大きくなるとともに、軸部が軸受け部から抜けにくい構造となる。
【００１４】
請求項３に係る発明では、蓋が開く角度を適宜に設定することができるので、例えば、蓋が開きすぎて邪魔になったり容器が倒れてしまう等の不都合が生じることを確実に防止することができる。
【００１５】
請求項４に係る発明では、第二フランジ部分をスリットに挿入するだけで蓋を着脱自在に容器本体に取り付けることができ、しかも、前記スリットを有する第一フランジ部分と前記第二フランジ部分とで形成されるヒンジによって蓋を開閉自在とすることができる蓋付き容器が得られる。また、容器本体と蓋とを別体としているので、例えば、容器本体に比べてそれほど高い強度が必要とされない蓋を薄く成形することで、蓋にかかる材料費を可及的に低く抑えることができ、ひいては蓋付き容器の製造コストの低減を図ることができる。その上、真空成形または圧空成形によって成形することができるので、これによっても蓋付き容器の製造コストが安価となる。
【００１６】
また、請求項４に係る発明は、請求項１に係る発明と同様に、蓋を容器本体から分離自在としているので、例えば、蓋を外して容器本体のみを用いるということもでき、それだけ種々の利用に対応可能な極めて応用性・汎用性の高い蓋付き容器となっている。
【００１７】
ここで、請求項４に係る発明では、前記スリットの長さを第二フランジ部分の幅に対応させることで、第二フランジ部分を有する蓋がスリットの長さ方向にずれるのを確実に防止することができ、蓋の開閉がスムーズとなる。
【発明を実施するための最良の形態】
【００１８】
図１〜図１０は、この発明の第１の実施の形態を示す。まず、図１および図２は、前記蓋付き容器の容器本体３１の構成を概略的に示す平面図および側面図、図３および図４は、この実施の形態に係る蓋付き容器の蓋３２の構成を概略的に示す平面図および正面図である。
【００１９】
図１〜図４に示すように、この実施の形態に係る蓋付き容器を構成する蓋１および容器本体２は別体で、それぞれ、例えばＰＥＴ（ポリエチレンテレフタレート）などの弾性に富む合成樹脂からなり、真空成形または圧空成形によって形成される一部材よりなる。なお、容器本体１、蓋２は例えば紙によって成形されていてもよい。
【００２０】
詳述すると、図１および図２に示すように、前記容器本体１は、平面視ほぼ円形状の底壁部３と、この底壁部３の周縁からほぼ上方に向けて連設された側壁部４とを備え、側壁部４の上方は開放されている。また、側壁部４の上端に、側方に向けて延びる折り返し部５が連設され、さらに、この折り返し部５の外周縁に、下方に向けて延びる垂下壁部６が連設されている。そして、この垂下壁部６の途中には側方に向けて延びる段部６ａが設けられているとともに、垂下壁部６の一側部には、他の部分よりも側方に突出する状態で軸受け部７が形成されている。
【００２１】
また、図１および図２において、８は側壁部４に設けられた目盛りであり、例えば、５ｃｃ間隔あるいは１０ｃｃ間隔など所定量間隔となるように刻まれている。すなわち、目盛り８によって、容器本体１内に所定量の液体を収容することが容易となっている。
【００２２】
一方、前記蓋２は、平面視ほぼ円形状の部材で、天井部９と、この天井部９の周縁から下方に向けて延び、容器本体１の垂下壁部６の外周面に当接可能な周壁部１０とを備えている。また、この周壁部１０の一側部には、他の部分よりも側方に延びる連設部１１が設けられ、この連設部１１に、挿通穴１２と、この挿通穴１２の周縁に挿通穴１２の内側に向かって突出する一対の軸部１３とが設けられている。なお、１４は周壁部１０の他側部に設けられ、他の部分よりも少しだけ側方に突出した突出部分である。
【００２３】
そして、この実施の形態の蓋付き容器は、蓋２の挿通穴１２に容器本体１の軸受け部７を挿通し、一対の軸部１３を軸受け部７に嵌め込むことにより、蓋２を容器本体１に着脱自在に取り付けることができ、しかも軸受け部７と一対の軸部１３とから形成されるヒンジによって蓋２が開閉自在となるように構成されている。すなわち、前記軸受け部７に嵌め込まれた状態の一対の軸部１３を軸として蓋２が容器本体１に対して回動するように構成されている。
【００２４】
以下、この実施の形態の蓋付き容器の要部の構成について詳述する。
まず、前記軸受け部７は、図１、図５および図７に示すように、椀状に凹み、前記一対の軸部１３が軸まわりに回動可能に当接する当接部分７ａを有している。なお、図１および図６において、１５は段部６ａにおいて軸受け部７に連なる部分に上向きに凸となるように設けた補強リブである。
【００２５】
前記連設部１１は、図３に示すように、ほぼコ字形状の外枠１６を有し、この外枠１６の内側に一段下がった状態で内枠１７が設けられており（図４、図８および図９参照）、この内枠１７の中央部に前記挿通穴１２が形成されている。なお、外枠１６には、図３、図４、図８および図９に示すように、下向きに凸となっている補強リブ１６ａが設けられている。
【００２６】
また、前記連設部１１に設けられた軸部１３は、図４、図８および図９に示すように、下側に凹んだ凹入部１３ａを有している。そして、この凹入部１３ａを設けたことにより、軸部１３の強度が大きくなるとともに、軸部１３が軸受け部７から抜けにくくなっている。さらに、図３、図４および図９に示すように、内枠１７の各凹入部１３ａ近傍には、凹入部１３ａを挟むようにして傾斜部分１８が設けられており、内枠１７において凹入部１３ａが最も低い位置にあるように構成されている。
【００２７】
一方、蓋２を閉じた状態に保てるように、図３および図１０に示すように、蓋２の周壁部１０の適宜の位置（この実施の形態では２か所）には、内側に凸となった当接部分１０ａが設けられている。すなわち、容器本体１の垂下壁部６の外面に前記当接部分１０ａが当接することにより、蓋２が閉じた状態に保たれるのであり、このときの当接力は、連設部１１の先端部を下方に押し下げたときに蓋２を開くことができる程度に小さく設定される。
【００２８】
また、この実施の形態の蓋付き容器は、蓋２が閉じた状態から適宜の角度（９０°〜１８０°の範囲内の角度であり、この実施の形態では約１２０°）開くまでの間、前記軸部１３を軸にした蓋２の回動が妨げられないように、挿通穴１２を設けて軸受け部７を回避する構造としてある。そして、蓋２が前記適宜の角度開いたときには、挿通穴１２の周縁を形成する内枠１７と軸受け部７またはその近傍とが当接し、蓋２の開きを規制するように構成されている。
【００２９】
上記の構成からなる蓋付き容器では、閉じた状態の蓋２を開けるには、蓋２の連設部４１の先端部を押し下げるだけでよく、これにより、蓋２が適宜の角度だけ開いた状態となり、反対に、適宜の角度開いた状態の蓋２を閉じるには、蓋２を容器本体１の上端部に押さえつけるだけでよい。
【００３０】
図１１〜図１８は、この発明の第２の実施の形態を示す。まず、図１１は、この発明の第２の実施の形態に係る蓋付き容器の構成を概略的に示す斜視図であり、この図において、３１は容器本体、３２は蓋である。そして、容器本体３１、蓋３２は別体で、それぞれ、例えばＰＥＴ（ポリエチレンテレフタレート）などの弾性に富む合成樹脂からなり、真空成形または圧空成形によって形成される一部材よりなる。なお、容器本体３１、蓋３２は例えば紙によって成形されていてもよい。
【００３１】
詳述すると、前記容器本体３１は、平面視ほぼ円形状の底壁部３３と、この底壁部３３の周縁からほぼ上方に向けて連設された側壁部３４とを備え、側壁部３４の上方は開放されている。また、側壁部３４の上端に、側方に向けて延びる折り返し部３５が連設され、さらに、この折り返し部３５の外周縁に、下方に向けて延びる垂下壁部３６が連設されている。そして、この垂下壁部３６の下端に、側方に向けて延びるフランジ部３７が連設され、このフランジ部３７の一側部には、他の部分よりも側方に突出し、直線状のスリット（切り込み）３８を有する第一フランジ部分３９が形成されている。
【００３２】
４０は側壁部３４に設けられた目盛りであり、例えば、５ｃｃ間隔あるいは１０ｃｃ間隔など所定量間隔となるように刻まれている。すなわち、目盛り４０によって、容器本体３１内に所定量の液体を収容することが容易となっている。
【００３３】
一方、前記蓋３２は、平面視ほぼ円形状の部材で、その中央部分が凹んでいる天井部４１と、この天井部４１の周縁から下方に向けて延び、容器本体３１の垂下壁部３６の外周面に当接可能な周壁部４２と、この周壁部４２の下端から側方に向けて延びるフランジ部４３とを備えている。また、このフランジ部４３の一側部には、他の部分よりも側方に突出し、前記第一フランジ部分３９のスリット３８に挿入される第二フランジ部分４４が形成されている。なお、４５はフランジ部４３の他側部に設けられ、他の部分よりも少しだけ側方に突出した突出部分である。
【００３４】
そして、この実施の形態の蓋付き容器は、第一フランジ部分３９のスリット３８に第二フランジ部分４４を挿入することによって蓋３２を容器本体３１に着脱自在に取り付けることができ、しかも第一フランジ部分３９と第二フランジ部分４４とから形成されるヒンジによって蓋３２が開閉自在となるように構成されている。
【００３５】
図１２は、スリット３８に第二フランジ部分４４を挿入した状態の蓋付き容器の要部の構成を概略的に示す説明図である。この図１２と図１１とに示すように、第二フランジ部分４４には、スリット３８に挿入される部分（スリット３８への挿入時に第一フランジ部分３９よりも下側に位置する部分）と挿入されない部分（スリット３８への挿入時に第一フランジ部分３９よりも上側に位置する部分）とに係止用凹凸としての凹部４６、凸部４７、凸部４８および凸部４９が設けられ、各係止用凹凸４６〜４９は第二フランジ部分４４のスリット３８中に位置する部分Ａに近接している。そして、これら係止用凹凸によって第二フランジ部分４４がスリット３８に係止するように構成されている。
【００３６】
なお、凹部４６、凸部４７，４８は第二フランジ部分４４におけるスリット３８に挿入される部分に設けられ、下方に凹んだ凹部４６を挟む位置に、上方に凸となった凸部４７，４８が配置されている。さらに、凹部４６、凸部４７，４８は、スリット３８への第二フランジ部分４４の挿入を行いやすくするためのガイド面Ｇと、スリット３８に挿入した状態の第二フランジ部分４４がスリット３８から容易に抜けることを防止するための係止面Ｋとを有している。
【００３７】
また、凸部４９は第二フランジ部４４におけるスリット３８に挿入されない部分に設けられ、上方に凸となっている。さらに、凸部４９も、前記係止面Ｋを有している。
【００３８】
一方、第一フランジ部分３９に、前記係止用凹凸４６〜４９を避けるための回避用凹凸としての凸部５０、５１、５２が設けられている。そして、これらの回避用凹凸５０〜５２を設けたことによって、蓋３２の開閉を支障なく行うことができる。すなわち、回避用凹凸５０〜５２を設けていない場合、蓋３２を閉じようとしたときに、凸部４７，４８が第一フランジ部分３９の下面に当接するので、蓋３２が閉じなくなるおそれがあり、また、蓋３２を開けようとしたときに、凹部４６が第一フランジ部分３９の下面に当接するので、蓋３２が良好に開かないおそれがある。しかし、前記蓋付き容器は、蓋３２を閉じるときに凸部４７，４８を進入させるための凸部５０，５１を有し、また、蓋３２を開けるときに凹部４６を進入させるための凸部５２を有しているので、上記のようなおそれがなく、良好に蓋３２の開閉を行うことができる。
【００３９】
なお、凸部４７を進入させるための凸部５０は凸部４７とほぼ同じかそれよりも大きく形成され、同様に、凸部４８を進入させるための凸部５１は凸部４８とほぼ同じかそれよりも大きく形成され、また、凹部４６を進入させるための凸部５２は凹部４６とほぼ同じかそれよりも大きく形成されている。さらに、蓋３２を閉じたときに凸部５２を凸部４９内に進入させることができるように、凸部４９は凸部５２と同じかそれよりも大きく形成されている。
【００４０】
また、図１２、図１３および図１４に示すように、第一フランジ部分３９において、スリット３８の外側縁部５３が他の部分よりも若干下がっている。
【００４１】
さらに、図１５に示すように、第二フランジ部分４４の周縁には、強度を上昇させるための平面視ほぼＵ字形状のリブ５４が設けられており、また、このリブ５４の内側に適宜の間隔をおいてもう一つ平面視ほぼＵ字形状のリブ５５が設けられている。
【００４２】
また、図１６に示すように、蓋３２が閉じているときに、第二フランジ部分４４の先端部５６が第一フランジ部分３９よりも側方に突出しており、この先端部５６を例えば指で押し下げることにより、図１７に示すように、蓋３２が開くように構成してある。
【００４３】
ここで、前記蓋３２の開閉動作に伴って、第一フランジ部分３９におけるスリット３８の外側縁辺５７（図１２参照）が内側縁辺５８（図１２参照）よりも上方に位置する第一状態と、内側縁辺５８が外側縁辺５７よりも上方に位置する第二状態とに切り換わる。そして、蓋３２が少しだけ（鋭角に）開いた状態（図１７において実線で示す状態）では、第二フランジ部分４４により外側縁辺５７が持ち上げられ、かつ内側縁辺５８が押し下げられて前記第一状態となり、蓋３２が大きく（鈍角に）開いた状態（図１７において二点鎖線で示す状態）では、第二フランジ部分４４により外側縁辺５７が押し下げられ、かつ内側縁辺５８が持ち上げられて前記第二状態となるように構成されている。なお、第一状態と第二状態との切り換えは、第一フランジ部分３９および第二フランジ部分４４の材料自体が備えた弾性に基づきその歪みを利用して行われ、また、前記切り換えは、蓋３２が開閉動作によって例えばほぼ垂直に立ったときに自動的にかつほぼ瞬間的になされるように構成されている。
【００４４】
そして、蓋３２を閉じたときは上記第一状態となっており、このとき、蓋３２にはこれを持ち上げて少しだけ開いた状態とするような力がかかる。従って、蓋３２を閉じた状態に保てるように、容器本体３１の垂下壁部３６に内側に凹んだ被係止部分５９を設けるとともに、蓋３２の周壁部４２に前記被係止部分５９に係止する係止部分６０を設けている。なお、被係止部分５９に対する係止部分６０の係止力は、上述した蓋３２を持ち上げようとする力より大きく、かつ第二フランジ部分４４の先端部５６を下方に押し下げたときに蓋３２を開くことができる程度に小さく設定される。
【００４５】
上述のように、閉じた状態の蓋３２を開けるには、第二フランジ部分４４の先端部５６を押し下げるだけでよく、これにより、前記被係止部分５９と係止部分６０との係止が解除され、蓋３２が開いた状態となり、反対に、開いた状態の蓋３２を閉めるには、蓋３２を容器本体３１の上端部を覆うように押さえるだけでよく、これにより、前記被係止部分５９に係止部分６０が係止し、蓋３２が閉じた状態となる。
【００４６】
上記の構成からなる蓋付き容器では、第二フランジ部分４４にリブ５４，５５を設けて強度の向上を図っているので、蓋３２を開く際に先端部５６の押し下げ操作を支障なく繰り返し行うことができる。
【００４７】
また、前記蓋付き容器は、蓋３２を取り外して容器本体３１のみを用いることができる。この場合、側壁部３４に目盛り４０を設けているので、例えば、容器本体３１を採尿容器などとして用いることができる。
【００４８】
さらに、前記蓋付き容器では、蓋３２の開閉動作に伴って、第一フランジ部分３９におけるスリット３８の外側縁辺５７が内側縁辺５８よりも上方に位置する状態（第一状態）と、内側縁辺５８が外側縁辺５７よりも上方に位置する状態（第二状態）とに切り換わる。そして、例えば、蓋３２が閉じた状態あるいは少しだけ開いた状態では、第二フランジ部分４４が第一状態にある外側縁辺５７および内側縁辺５８により保持され、蓋３２が大きく開いた状態では、第二フランジ部分４４が第二状態にある外側縁辺５７および内側縁辺５８により保持されるように構成することにより、蓋３２を開けた状態としたときに、仮に少しの振動等が加わったとしても、これによって蓋３２が閉じてしまうことがなく、使用性の面で非常に優れたものとなっている。
【００４９】
また、前記蓋付き容器では、係止用凹凸４６〜４９を設けたことにより、第二フランジ部分４４がスリット３８から抜けるのを確実に防止することができ、また、係止用凹凸４６〜４９の第一フランジ部分３９への当接によって蓋３２の開閉に支障が生じるのを、第一フランジ部分３９に回避用凹凸５０〜５２を設けたことによって確実に防止することができる。
【００５０】
また、前記蓋付き容器では、第二フランジ部分４４の先端部５６を押し下げるだけで蓋３２を容易に（例えば片手で）ワンタッチで開くことができる。従って、例えば、蓋付き容器内の綿球やガーゼなどの内容物を片手だけで簡単に取り出すことができ、ひいては綿球やガーゼなどを用いて行う傷の手当て・消毒など種々の作業の効率の向上を図ることができる。
【００５１】
なお、この発明は上記の実施の形態に限られず、種々に変形して実施することができる。例えば、係止用凹凸４６〜４９および回避用凹凸５０〜５２を設ける代わりに、第二フランジ部分４４の左右に切り込み部分（図示していない）を設け、この切り込み部分がスリット３８の左右縁に係止するように構成してあってもよい。
【００５２】
また、リブ５４，５５を設ける構成に代えて、例えば、第二フランジ部分４４の周縁部を波板状とすることにより、第二フランジ部分４４の強度を向上させてもよい。
【００５３】
さらに、上記実施の形態では、蓋３２が少しだけ開いた状態のときに第一状態となるように構成しているが、これに代えて、例えば、第一フランジ部分３９をその先端側ほど上側に位置するように傾斜させ（少なくとも内側縁辺５８付近および外側縁辺５７付近を、前記先端部５６に近くなるほど上方に位置するように傾斜させ）、蓋３２がほぼ完全に閉まったときに第一状態となるように構成してもよい。
【００５４】
また、第二フランジ部分４４の先端部５６を押し下げる代わりに突出部分４５を持ち上げることによって蓋３２を開けてもよく、この場合、突出部分４５を設ける位置は、フランジ部４３の他側部に限られず、蓋３２を開けることができればフランジ部４３のいずれの場所に設けてもよい。
【００５５】
また、蓋３２が大きく開いた状態のときに、第二フランジ部分４４の凸部４７，４８内に進入する下方に凹んだ凹部（図示していない）を第一フランジ部分３９に設けてもよく、この場合には、大きく開いた状態の蓋３２のがたつきを確実に防止することができる。
【図面の簡単な説明】
【００５６】
【図１】この発明の第１の実施の形態に係る蓋付き容器の容器本体の構成を概略的に示す平面図である。
【図２】前記容器本体の構成を概略的に示す側面図である。
【図３】前記蓋付き容器の蓋の構成を概略的に示す平面図である。
【図４】前記蓋の構成を概略的に示す正面図である。
【図５】図１のＡ−Ａ線縦断端面図である。
【図６】図１のＢ−Ｂ線縦断端面図である。
【図７】図１のＣ−Ｃ線縦断端面図である。
【図８】図３のＤ−Ｄ線縦断端面図である。
【図９】図３のＥ−Ｅ線縦断端面図である。
【図１０】図３のＦ−Ｆ線縦断端面図である。
【図１１】この発明の第２の実施の形態に係る蓋付き容器の構成を概略的に示す斜視図である。
【図１２】スリットに第二フランジ部分を挿入した状態の前記蓋付き容器の要部の構成を概略的に示す説明図である。
【図１３】容器本体の構成を概略的に示す平面図である。
【図１４】図１３のＸ−Ｘ線断面図である。
【図１５】蓋の構成を概略的に示す平面図である。
【図１６】蓋が閉まった状態の蓋付き容器の構成を概略的に示す説明図である。
【図１７】蓋が開いた状態の蓋付き容器の構成を概略的に示す説明図である。
【図１８】被係止部および係止部の構成を概略的に示す要部拡大縦断面図である。
【符号の説明】
【００５７】
１  容器本体
２  蓋
７  軸受け部
１１  連設部
１２  挿通穴
１３  軸部
３１  容器本体
３２  蓋
３８  スリット
３９  第一フランジ部分
４４  第二フランジ部分
【図１】
2006151454.tif 000003
【図２】
2006151454.tif 000004
【図３】
2006151454.tif 000005
【図４】
2006151454.tif 000006
【図５】
2006151454.tif 000007
【図６】
2006151454.tif 000008
【図７】
2006151454.tif 000009
【図８】
2006151454.tif 000010
【図９】
2006151454.tif 000011
【図１０】
2006151454.tif 000012
【図１１】
2006151454.tif 000013
【図１２】
2006151454.tif 000014
【図１３】
2006151454.tif 000015
【図１４】
2006151454.tif 000016
【図１５】
2006151454.tif 000017
【図１６】
2006151454.tif 000018
【図１７】
2006151454.tif 000019
【図１８】
2006151454.tif 000020